(57)【特許請求の範囲】
【請求項１】
外部の光を反射して屋内空間に放光する光反射パネルであって、
支持プレートと、該支持プレートにそれぞれ連結部を介して設けられた、複数の光散乱板を備え、
前記複数の光散乱板の各々は、前記連結部において、前記支持プレートに対し、姿勢を変更可能とされ、
前記支持プレートは湾曲し、窪んだ側の面に光を反射する反射材により反射面が形成され、当該反射面は、前記外部の光を反射して前記屋内空間に放光する方向に向けられている、光反射パネル。
【請求項２】
前記支持プレートに、前記光散乱板の輪郭形状をなすスリットを形成して、該スリットの内側の部分を立ち上げることによって、前記光散乱板が形成され、
当該光散乱板は、前記支持プレートに対して捩って回転させることにより、姿勢を調整可能に設けられている、請求項１に記載の光反射パネル。
【請求項３】
前記光散乱板は、前記窪んだ側の面に接続されている、請求項１または２に記載の光反射パネル。
【請求項４】
前記支持プレートは、金属薄板により構成されている、請求項１から３のいずれか一項に記載の光反射パネル。
【請求項５】
前記複数の光散乱板は、千鳥状に配置されている、請求項１から４のいずれか一項に記載の光反射パネル。
【発明の詳細な説明】
【技術分野】
【０００１】
本発明は、光反射パネルに関するものである。
【背景技術】
【０００２】
周知のように、二酸化炭素の排出量削減や、省エネルギーを実現するため、太陽光を構造建築物の内部に導光し、放光口より放光することで屋内空間を照明する、昼光照明が注目されている。
【０００３】
従来、昼光照明装置は、太陽光を屋内空間の様々な方向に反射させて、太陽光の照射範囲を広げる構造を有することがある。特許文献１には、図９に示されるような、天井６１の上に設置された光ダクト６２を介して導光された太陽光６３を、複数の傾斜角度が異なる反射板６４によって、屋内空間６５へ導光することが開示されている。
【０００４】
また、特許文献２には、ファンによる風によって搖動する搖動体に設けられた光反射部材に、太陽光を反射させて、太陽光の反射方向を不規則に変動させる装置が開示されている。
【先行技術文献】
【特許文献】
【０００５】
【特許文献１】特開２０１２−６４３６８号公報
【特許文献２】特許第５２９４７５２号公報
【発明の概要】
【発明が解決しようとする課題】
【０００６】
特許文献１に記載の装置においては、太陽光の照射範囲を広げるために、反射板６４間の、太陽光が入射する上側の間隔よりも、太陽光が出射する下側の間隔が大きくなるように、反射板６４が配置されている。それにより、反射板６４の上側に、空間６６が形成される。この空間６６は、太陽光が導光されているにもかかわらず、導光された太陽光が屋内空間６５へ照射されない、無駄な空間である。すなわち、このような構造においては、導光された太陽光を、無駄なく、効率的に、屋内空間６５へ照射することが難しい。また、多くの反射板６４を設置するために、反射板６４の材料を多く必要とするので、装置の重量が重くなると共に、装置が大きくなり多大な設置空間を要し、居住空間が狭くなる。また、多くの反射板６４を多様な傾斜角度で固定する必要があり、手間がかかるため、製作費用が嵩む。
【０００７】
特許文献２に記載の装置においても、ファンの設置場所によっては太陽光が遮光されるため、特許文献１と同様に、筐体内に導光されたにもかかわらず、導光された太陽光が屋内空間へ照射されない場合がある。また、ファンを回転させる駆動部分へエネルギーを供給する必要がある。更に、駆動部分のメンテナンス、及び、各光反射部材の位置ずれを調整するための、各光反射部材のメンテナンスが、定期的に必要である。
【０００８】
本発明の課題は、コンパクトな構成で室内空間を圧迫せず、製作費用、メンテナンス費用を低減でき、屋内空間の広い範囲を明るくすることが可能な、光反射パネルを提供することである。
【課題を解決するための手段】
【０００９】
本発明は、上記課題を解決するため、以下の手段を採用する。すなわち、本発明は、支持プレートと、該支持プレートにそれぞれ連結部を介して設けられた、複数の光散乱板を備え、前記複数の光散乱板の各々は、前記連結部において、前記支持プレートに対し、姿勢を変更可能とされている、光反射パネルを提供する。
上記のような構成によれば、姿勢、すなわち、支持プレートに対する折り曲げ角度や、連結部を中心とした回転角度が調整された光散乱板により、室内の様々な場所に反射光を照射することが可能である。したがって、本光反射パネル一枚で、屋内空間の広い範囲を明るくすることが可能である。
また、複数枚の光反射パネルを使用しなくても、屋内空間の広い範囲を明るくすることが可能であるため、特許文献１のように、光反射パネルを複数枚導入することにより発生しうる、導光された太陽光が使われないという状況が発生しにくい。したがって、無駄なく、効率的な、太陽光の導光が可能である。
また、一枚の光反射パネルで屋内空間の広い範囲を明るくすることが可能であるため、本光反射パネルを用いた採光装置の構成が簡単となる。したがって、採光装置の大きさを低減して居住空間を広くし、居住性を高めることが可能となる。
また、各光散乱板の姿勢を個別に変更することができるため、様々な照明状況を作ることが可能である。
また、各光散乱板は、姿勢の調整後は動かす必要がないため、駆動のための外部からのエネルギー供給が不要である。また、光散乱板の駆動部が不要となり、かつ、反射面の姿勢の調整は、人手で簡単に行うことができるため、メンテナンスが容易となる。
【００１０】
前記支持プレートを形成する部材として、光を反射する反射材で構成された部材を用い、前記支持プレートに、前記光散乱板の輪郭形状をなすスリットを形成して、該スリットの内側の部分を立ち上げることによって、前記光散乱板が形成されてもよい。
このような構成によれば、支持プレートによる反射光を屋内空間に照射すると同時に、支持プレートによる反射光が届かない場所に対しては、姿勢が調整された光散乱板による反射光を照射することも可能である。本光反射パネルにおいては、このように一枚で屋内空間の広い範囲を明るくすることが可能である。
また、一枚のパネル相当量の、少ない反射面で、太陽光の照射範囲を広げることができるため、反射材の使用量が少なくすみ、かつ、構造が単純になる。したがって、製作費用を低減することが可能となる。
また、上記のように、一枚のパネル相当量の材料しか使用しないため、軽量に実現できる。それにより、光反射パネルの設置が容易となるとともに、落下防止を目的とした特別な設備の導入や、設置場所周辺の補強作業などが不要となり、設置費用を低減することが可能となる。
【００１１】
前記支持プレートは湾曲しており、前記光散乱板は、前記支持プレートの湾曲して窪んだ面に接続されていてもよい。
このような構成によれば、効果的に、太陽光の照射範囲を広げることができる。
【００１２】
前記支持プレートは、アルミニウム板や鋼板などの金属薄板により構成されていてもよい。
このような構成によれば、光反射パネルの軽量化を実現することが可能となる。
【００１３】
前記複数の光散乱板は、千鳥状に配置されていてもよい。
このような構成によれば、支持プレートによる反射領域を細かく分断して小さくすることができる。また、太陽光の入射方向に対して後段に位置する光散乱板の受光面積が向上する。これにより、屋内空間のより広い範囲を明るくすることが可能である。
【発明の効果】
【００１４】
本発明によれば、屋内空間の広い範囲を明るくすることが可能な、光反射パネルを、提供することが可能となる。
【００１５】
好ましい様態では、製作費用、メンテナンス費用を低減することが可能となる。
【００１６】
好ましい様態では、コンパクトな構成で室内空間を圧迫しない。
【図面の簡単な説明】
【００１７】
【図１】本発明の第１の実施形態として示した光反射パネルの、（ａ）は側面図、（ｂ）は図１（ａ）のＡ−Ａ断面図である。
【図２】本発明の第１の実施形態として示した光反射パネルの、光散乱板の平面図を示す。
【図３】前記第１の実施形態として示した光反射パネルの作製に使用される、スリットが入れられた板状部材の、（ａ）は平面図、（ｂ）は拡大図を示す。
【図４】本発明の第１の実施形態として示した光反射パネルを使用した採光装置の、一部断面視した側面図を示す。
【図５】本発明の第１の実施形態として示した光反射パネルの、光散乱板の変形例の平面図を示す。
【図６】本発明の第２の実施形態として示した光反射パネルにおける、スリットが入れられた板状部材の平面図である。
【図７】本発明の第４の実施形態として示した光反射パネルにおける、スリットが入れられた板状部材の平面図である。
【図８】本発明の第５の実施形態として示した光反射パネルにおける、スリットが入れられた板状部材の、（ａ）は平面図、（ｂ）は説明図を示す。
【図９】従来の採光装置の、一部断面視した側面図である。
【発明を実施するための形態】
【００１８】
以下、本発明の実施形態について図面を参照して詳細に説明する。
【００１９】
図１は、本発明の第１の実施形態として示した光反射パネル１を示す。図１（ａ）、（ｂ）は、それぞれ、光反射パネル１の側面図、図１（ａ）のＡ−Ａ断面図である。
【００２０】
光反射パネル１は、光を反射する反射材で構成された部材により形成された支持プレート２と、複数の光散乱板３を備えている。複数の光散乱板３の各々は、連結部４を介して、光反射パネル１の支持プレート２に設けられている。
【００２１】
支持プレート２は、支持プレート２を一側面から見たときに、一定の曲率半径をもって湾曲するように形成されている。具体的には、支持プレート２は、複数の、図１においては７個の、矩形の平板５によって、構成されている。各平板５は、支持プレート２の凸側の表面の延長面と、隣接する他の平板５との角度が２．５°となるように、すなわち、平板５が２．５°ずつ異なる角度になるように、位置づけられている。支持プレート２が湾曲して窪んだ側の面が、太陽光を反射する反射面となる。
【００２２】
光散乱板３は、各平板５の、支持プレート２が湾曲して窪んだ側の面に、連結部４によって接続されている。図２に示すように、光散乱板３は台形に形成されており、連結部４は台形の長辺に接続されている。図１（ａ）において、光散乱板３の、紙面方向において左側の面が、太陽光を反射する反射面となる。
【００２３】
各光散乱板３の、当該光散乱板３が接続している平板５に対する姿勢、すなわち、平板５に対する折り曲げ角度や、連結部４を中心とした回転角度は、図１（ｂ）においては全て同じであるように図示されている。しかし、実際に採光装置に設置して用いられる際には、各光散乱板３を、連結部４を介して折り曲げ角度を変えたり、捩じったりすることによって、各光散乱板３の姿勢が個別に、変更、調整される。
【００２４】
平板５間の角度を含めた、光反射パネル１の構造の一部は、昆虫の複眼の構造を参考に決定されている。昆虫の複眼は、それぞれに受光器を有する個眼が、蜂の巣のように球面状に集合している構造を有している。昆虫の複眼は、狭い領域に複数の個眼を配置して広い視界を得るという利点を有している。換言すれば、この複眼構造に対して照射される任意の方向からの光を反射することが可能であると考えられる。
【００２５】
光反射パネル１は、平板５間の角度、光散乱板３の大きさ、及び、光散乱板３に照射したい光の方向等の、各要素を基にして設計されている。昆虫の複眼においては、個眼が配置される平面の延長面と、隣接する個眼が配置される平面との角度は０．５〜３°である（M.F.Land and D/-E.Nilsson;  Animal Eyes. Oxford University Press, 2002）ため、個眼の存在する平面と平板５を相関させて、平板５の表面の延長面と、隣接する平板５との角度を２．５°とした。また、光散乱板３の大きさを一辺６ｃｍ以上、及び、光散乱板３に照射したい光の方向を、水平より−２２．５°〜２２．５°としている。
【００２６】
この光反射パネル１は、一枚の板状の部材から一体に形成される。すなわち、支持プレート２に、光散乱板３の輪郭形状をなすスリット７を形成して、スリット７の内側の部分を立ち上げることによって、光散乱板３が形成されている。
【００２７】
具体的には、まず、金属薄板たとえばアルミニウム板や鋼板などに、反射性を高めるために銀メッキや蒸着などによるコーティングを行い、鏡面仕上げすることで、図３（ａ）に示されるような板状部材６を作製する。
【００２８】
次に、板状部材６に、打ち抜き加工などにより、複数のスリット７、及び本光反射パネル１の取付に使用する、図示しないネジ穴を形成する。図３（ｂ）の拡大図に示すように、各スリット７は略台形の、光散乱板３の輪郭形状をしている。各スリット７は、台形の長辺上の中央部である、後に連結部４が形成される部位において分断されて、スリット７の内側の台形形状の部材と、スリット７の外側の部材が、当該中央部によってのみ、接続されるように形成される。
【００２９】
更に、板状部材６の複数個所、具体的には、図３（ａ）の二点鎖線において、プレスなどにより曲げ加工を行い、平板５を、平板５の表面の延長面と、隣接する平板５との角度が２．５°の角度をなすように形成する。
【００３０】
最後に、各スリット７の内側の台形形状の部材を、連結部４において、接続する平板５に対して折り曲げ角度を変えて傾斜をつけ、また、捩って回転させることにより、姿勢を調整して、光散乱板３とする。図３（ｂ）に拡大して示されるように、連結部４は、光散乱板３を平板５に対して捩ることができる程度に、十分に細くなるように、形成されている。これにより、各光散乱板３は、接続されている平板５に対する、姿勢を、任意に変え維持することが可能となる。
【００３１】
光散乱板３の姿勢は、構造建築物に光反射パネル１が設置された後に、光反射パネル１を介して屋内空間に太陽光が照射された状況を見ながら、調整するのが望ましいが、太陽光は時刻と共に移動するため、固定された人工光を基に、調整してもよい。
【００３２】
次に、図４を用いて、上記のような、光反射パネル１を使用した採光装置１０の、建築構造物への設置形態について、説明する。
【００３３】
採光装置１０は、太陽１１から照射された太陽光を採光する採光部１２、採光部１２から射出された太陽光を導光する導光部１３、及び、導光部１３により導光された太陽光を屋内空間１５の照明光として放光する放光部１４を備えている。
【００３４】
採光部１２は、上方に傾斜して設けられ、太陽光が入射可能な開口部を備えている。開口部から入射された太陽光は、採光部１２に連通し、かつ、天井板１６上に水平に配置された、導光部１３を通り、放光部１４へ到達する。
【００３５】
放光部１４は、その内部に、上記の光反射パネル１を有している。放光部１４は、導光部１３と連通している。放光部１４の、導光部１３とは反対側の端部は閉鎖されており、当該端部の最下部には、外方に凹むように形成された溝部１８を備えている。
【００３６】
支持プレート２の、光散乱板３の反射面側の辺を上辺８、上辺８とは反対側の辺を下辺９とすると、光反射パネル１は、放光部１４内に、その下辺９が溝部１８に格納されて支持され、かつ、その上辺８が、放光部１４の上部を構成する部材に、光反射パネル１の図示しないネジ穴を介して、ボルト・ナット１９で締結されることにより、固定されている。光反射パネル１が反射した太陽光は、屋内空間１５へ照射される。
【００３７】
次に、上記のような、光反射パネル１の作用について説明する。
【００３８】
支持プレート２は、光反射パネル１に照射された太陽光の主な部分を、屋内空間１５の特定の場所に反射させる。支持プレート２が平面であると、反射された太陽光が照射されて明るくなる屋内空間１５の場所の面積は、支持プレート２の大きさにほぼ依存した面積となる。しかし、支持プレート２は湾曲しているため、平面の場合に比べると、より広い場所に、太陽光が照射される。
【００３９】
光散乱板３は、その姿勢を個別に調整可能である。したがって、支持プレート２により反射光が照射されない、暗い場所に向けて、反射光が照射されるように、特定の光散乱板３の姿勢を調整した場合には、屋内空間１５の広い領域に、太陽光が照射される。
【００４０】
このように、支持プレート２による反射光を屋内空間１５に照射すると同時に、支持プレート２による反射光が届かない場所に対しては、姿勢が調整された光散乱板３による反射光を照射することが可能である。本光反射パネル１においては、このように、一枚だけで、屋内空間１５の広い範囲を明るくすることが可能である。
【００４１】
また、上記のように、複数枚の光反射パネル１を使用しなくても、屋内空間１５の広い範囲を明るくすることが可能であるため、光反射パネル１を複数枚導入することにより発生しうる、導光された太陽光が使われないという状況が発生しにくい。したがって、無駄なく、効率的な、太陽光の導光が可能である。
【００４２】
一枚の光反射パネル１で、屋内空間１５の広い範囲を明るくすることが可能であることは、すなわち、採光装置１０の放光部１４を、コンパクトに構成することが可能であることをも意味する。採光装置１０の高さは、放光部１４の高さに左右される場合も多いため、これは、採光装置１０の高さ自体を、薄くできることも意味する。例えば、図４に示されるような構成の採光装置１０において、本第１の実施形態に記載のような、７枚の、幅約１０ｃｍの平板５が、平板５の表面の延長面と、隣接する平板５との角度が２．５°の角度をなすように配される、光反射パネル１を使用する場合、放光部１４の紙面左右方向の長さは４２ｃｍ程度となるが、導光部１３の高さは１１ｃｍ程度に収まる。
【００４３】
このように、本光反射パネル１を使用することにより、採光装置１０の高さを低くすることが可能となる。これにより、天井裏などの、採光装置１０が配置される空間を小さくすることが可能となり、構造建築物の天井を高くして居住空間を広くし、居住性を高めることが可能となる。
【００４４】
また、各光散乱板３の姿勢を個別に変更することができるため、様々な照明状況を作ることが可能である。上記のように、支持プレート２による反射光が届かない場所に対して、光散乱板３による反射光を照射するように、光散乱板３の姿勢を調整することも可能であるし、支持プレート２により反射光が照射されている場所に向けて、反射光が重ねて照射されるようにして、特定の場所を更に明るくするように、光散乱板３の姿勢を調整することも、可能である。あるいは、各々の光反射板３の姿勢を不規則にして、屋内空間１５の、光反射板３による反射光が照射される場所を無作為にすることで、木漏れ日のように見える、自然の光が取り込まれているような、状況にすることも可能である。
【００４５】
また、各光散乱板３は、姿勢の調整後は動かす必要がないため、駆動のための外部からのエネルギー供給が不要である。また、光散乱板３の駆動部が不要となり、かつ、反射面の向きの調整は、人手で、光散乱板３の姿勢を変えることによって、簡単に行うことができるため、メンテナンスが容易となる。
【００４６】
また、光反射パネル１は、一枚の板状部材６相当量の、少ない反射面で、太陽光の照射範囲を広げることができるため、反射材の使用量が少なくすみ、かつ、構造が単純になる。したがって、製作費用を低減することが可能となる。
【００４７】
また、上記のように、光反射パネル１は、一枚の板状部材６相当量の材料しか使用しないため、軽量に実現できる。それにより、光反射パネル１の設置が容易となるとともに、落下防止を目的とした特別な設備の導入や、設置場所周辺の補強作業などが不要となり、設置費用を低減することが可能となる。
【００４８】
また、光反射パネル１は、薄いアルミニウム板や鋼板に、反射性を高めるために銀メッキや蒸着などによるコーティングを行い、鏡面仕上げすることで構成されているため、光反射パネル１の反射性を高めるとともに、軽量化を実現することが可能となる。
【００４９】
（第２の実施形態）
次に、図６を用いて、第２の実施形態として示した光反射パネルを説明する。図６は、第２の実施形態として示した光反射パネルにおける、スリット２７が入れられた板状部材２６の平面図である。本第２の実施形態における光反射パネルは、上記第１の実施形態として示した光反射パネル１とは、光散乱板２３の配置が異なっている。
【００５０】
図６に示されている板状部材２６においては、板状部材２６が加工されて光反射パネルに組み込まれた際の太陽光の入射方向を、方向Ｘとして示している。板状部材２６は、この入射方向Ｘに直交する方向Ｙと平行な、図６に示される各二点鎖線において曲げ加工されて、複数の平板２５Ａ、２５Ｂが形成される。
【００５１】
本第２の実施形態においては、板状部材２６の左から奇数枚目の平板２５Ａ内のスリット２７により形成される光散乱板２３は、方向Ｙにおいて、図３（ａ）に示される第１の実施形態と同様に位置せしめられている。他方、板状部材２６の左から偶数枚目の平板２５Ｂ内の各光散乱板２３は、第１の実施形態とは異なり、方向Ｙにおいて、奇数枚目の平板２５Ａ内の方向Ｙに隣接する２枚の光散乱板２３の間に位置するように配されている。これにより、板状部材２６においては、複数の光散乱板２３が千鳥状に配置されるように、各スリット２７が設けられている。
【００５２】
上記第１の実施形態においては、図３（ａ）に示されるように、各光散乱板３は板状部材６上において、方向Ｙにおける位置が揃えられて設けられている。これにより、図３（ａ）にＢ矢視部分として示されるように、方向Ｙにおいて隣接する光散乱板の間は、方向Ｘ上において一枚も光散乱板が設けられていない、矩形状の領域Ｂとなっている。このような矩形状の領域Ｂは、板状部材６が加工されて光反射パネルに組み込まれた際には、支持プレートの一部を構成し、この領域に入射した太陽光は略同一方向に反射されて、室内を略矩形状に照射する。このとき、この照射光を分断することができれば、より広い空間を照らすことができる。
【００５３】
このような場合においては、図６に示されるように千鳥状に光散乱板２３を配置し、偶数枚目の平板２５Ｂに配された光散乱板２３によって、図３（ａ）に示されるような矩形状の領域Ｂを、方向Ｘにおいて分断することができる。これにより、上記第１の実施形態以上に、広い空間を照らすことができる。
【００５４】
また、偶数枚目の平板２５Ｂにおいては、光散乱板２３が、奇数枚目の平板２５Ａの光散乱板２３とは方向Ｙにずらして配設されることで、偶数枚目の平板２５Ｂの光散乱板２３へ入射する太陽光が、奇数枚目の平板２５Ａの光散乱板２３に遮られる可能性が低減する。これにより、光散乱板２３全体における受光面積が向上し、屋内空間の広い範囲を上記第１の実施形態以上に明るくすることが可能である。
【００５５】
本第２の実施形態が、上記第１の実施形態の奏する他の効果と同様の効果を奏することはいうまでもない。
【００５６】
（第３の実施形態）
次に、第３の実施形態として示した光反射パネルを説明する。本第３の実施形態における光反射パネルは、上記第１の実施形態として示した光反射パネル１とは、図３（ａ）として示される板状部材６の両面に対して、銀メッキや蒸着などによるコーティングを行い、鏡面仕上げを行う点が異なっている。すなわち、図１（ａ）に示される各光散乱板３の、太陽光を受ける左側の面だけではなく、裏側となる右側の面も鏡面加工されている。
【００５７】
このような構成によれば、図１（ａ）において、太陽光の入射方向において後方に位置する部分の支持プレート２や光散乱板３により反射された光が、より前方すなわち太陽側に位置する光散乱板３の方向に反射された場合であっても、この反射光を、前方に位置する光散乱板３の右側の面、すなわち裏面で更に反射して、室内へ導光することが可能となる。これにより、屋内空間１５の、上記第１の実施形態以上に広い範囲を明るくすることが可能である。
【００５８】
本第３の実施形態が、上記第１の実施形態の奏する他の効果と同様の効果を奏することはいうまでもない。
【００５９】
（第４の実施形態）
次に、図７を用いて、第４の実施形態として示した光反射パネルを説明する。図７は、第４の実施形態として示した光反射パネルにおける、スリット４７Ａ、４７Ｂが入れられた板状部材４６の平面図である。本第４の実施形態における光反射パネルは、上記第１の実施形態として示した光反射パネル１とは、光散乱板４３Ａ、４３Ｂの配置が異なっている。
【００６０】
図７に示されている板状部材４６においては、板状部材４６が加工されて光反射パネルに組み込まれた際の太陽光の入射方向を、方向Ｘとして示している。板状部材４６は、この入射方向Ｘに直交する方向Ｙと平行な、図７に示される各二点鎖線において曲げ加工されて、複数の平板４５が形成される。
【００６１】
本第４の実施形態においては、板状部材４６は、２種類のスリット、すなわち第１スリット４７Ａ、第２スリット４７Ｂによって、各々に対応する２種類の光散乱板、すなわち第１光散乱板４３Ａ、第２光散乱板４３Ｂが形成されている。
【００６２】
第１光散乱板４３Ａにおいては、図３（ａ）に示される第１の実施形態と同様に、第１光散乱板４３Ａの台形形状の長辺４３ａが太陽光の入射方向Ｘにおいて前方すなわち太陽側に、短辺４３ｂが後方に位置するように、第１スリット４７Ａが設けられている。これに対し、第２光散乱板４３Ｂにおいては、長辺４３ａが太陽光の入射方向Ｘにおいて後方に、短辺４３ｂが前方に位置するように、第２スリット４７Ｂが設けられている。すなわち、第２スリット４７Ｂは、第１スリット４７ＡをＸＹ平面内において１８０°回転させた形状をなしている。これらのスリット４７Ａ、４７Ｂに対応する光散乱板４３Ａ、４３Ｂの、長辺４３ａ、短辺４３ｂ以外の辺である脚４３ｃにおいては、隣接する光散乱板４３Ａ、４３Ｂの脚４３ｃ同士が互いに対向して平行になるように、スリット４７Ａ、４７Ｂは位置づけられている。いずれの光散乱板４３Ａ、４３Ｂにおいても、連結部４４Ａ、４４Ｂは長辺４３ａに設けられている。
【００６３】
このような構成によれば、板状部材４６内の光散乱板４３Ａ、４３Ｂの枚数を増やして密にすることができるため、光散乱板４３Ａ、４３Ｂによる受光面積が向上する。したがって、上記第１の実施形態以上に、自然の光が取り込まれているような照射状況を実現するとともに、屋内空間の広い範囲を明るくすることが可能である。
【００６４】
本第４の実施形態が、上記第１の実施形態の奏する他の効果と同様の効果を奏することはいうまでもない。
【００６５】
なお、本第４の実施形態においては、各スリット４７Ａ、４７Ｂの内側の光散乱板４３Ａ、４３Ｂを、連結部４４Ａ、４４Ｂにおいて折り曲げ角度を変えて傾斜をつける等により姿勢を調整する際に、特に第２光散乱板４３Ｂに関しては、板状部材４６の片面のみが鏡面仕上げされている場合においては、板状部材４６の鏡面仕上げされていない裏面が、太陽側を向いて位置することになる。そのため、第２光散乱板４３Ｂを折り曲げた後に連結部４４Ｂにおいて第２光散乱板４３Ｂを１８０°捻り、鏡面仕上げされた表面が太陽側を向くようにする必要がある。この捻りにより連結部４４Ｂに強度上の懸念がある場合においては、例えば、第３の実施形態で説明したように、板状部材４６の両面を鏡面仕上げしてもよい。
【００６６】
（第５の実施形態）
次に、図８を用いて、第５の実施形態として示した光反射パネルを説明する。図８（ａ）は、第５の実施形態として示した光反射パネルにおける、スリット５７が入れられた板状部材５６の平面図である。本第５の実施形態における光反射パネルは、上記第１の実施形態として示した光反射パネル１とは、光散乱板５３の形状が異なっている。
【００６７】
より詳細には、光散乱板５３においては、連結部５４が光散乱板５３の短辺５３ｂ側に設けられている。これにより、連結部５４から、連結部５４の設けられた短辺５３ｂの両端である、２つの短辺側頂点５３ｄの各々までの距離が、連結部５４を長辺５３ａに設けた、第１の実施形態の場合よりも短くなっている。また、光散乱板５３は、図３（ａ）に示されるような、第１の実施形態における光散乱板３を、太陽光の入射方向Ｘにおいて反転させて、長辺５３ａが太陽光の入射方向Ｘにおいて後方に、短辺５３ｂが前方に位置するように、スリット５７により形成されている。
【００６８】
すなわち、このような構成によれば、連結部５４から２つの短辺側頂点５３ｄの各々までの距離が短いため、図８（ｂ）に示されるように、スリット５７の内側の光散乱板５３を、連結部５４において折り曲げ角度を変えて傾斜をつける等により姿勢を調整する際に、各短辺側頂点５３ｄとスリット５７の外側の部分、すなわち、支持プレート５２を形成する部分との干渉を少なくすることができる。これにより、光散乱板５３の姿勢の調整範囲を、第１の実施形態よりも広くすることが可能となり、屋内空間のより広い範囲を明るくすることができる。
【００６９】
本第５の実施形態が、上記第１の実施形態の奏する他の効果と同様の効果を奏することはいうまでもない。
【００７０】
なお、第１の実施形態においては、平板５の表面の延長面と、隣接する平板５との角度は、照射範囲を大きくしながら、採光装置１０の高さを低くするためには、２．５°の値をとることが望ましいが、これに限られない。また、平板５間のなす角度は、それぞれ異なっていてもよい。支持プレート２は、曲げ加工されていない平面で構成されてよいし、曲面で構成されていてもよい。
特に、第２、第４の実施形態においては、より多くの太陽光を光散乱板へと入射させる構成となっているため、受光量が比較的少ない支持プレートの形態を変えても、屋内への照射状況に対する影響は大きくない場合がある。特にこのような場合においては、支持プレートを平面で構成すると、板状部材の加工の工程を低減可能である。
【００７１】
光散乱板３の形状は、台形でなくともよく、円形、楕円形、正方形、四角形以外の多角形など、他の形状であってもよい。例えば、図５に、五角形の形状を有する光散乱板２０を示す。光散乱板２０は、連結部４に隣接する光散乱板２０の二つの辺の間に角度がつけられて、連結部４の付け根が削られたように、形成されている。これにより、光散乱板２０の姿勢を調整する際に、支持プレート２との干渉が少なくなるため、調整が容易となる。
【００７２】
図３（ｂ）には、特に第１の実施形態における、光散乱板３の寸法関係の一例が示されている。図３（ｂ）において、各寸法の単位はｍｍである。各部の寸法は図３（ｂ）に示すとおりであるが、これに限られない。図３（ｂ）においては、光散乱板３の面積は３０ｃｍ２であり、光散乱板３一枚当たりの支持プレート２の周辺面積は約７０ｃｍ２となっている。光散乱板３、２０が、上記と異なる面積を有するように構成することも可能ではあるが、面積が小さくなると光散乱板３一枚あたりの照射範囲が小さくなり、また、面積が大きくなると支持プレート２の面積が小さくなって、支持プレート２による照射範囲が小さくなるため、約３０ｃｍ２程度が望ましい。
ただし、例えば第２、第４の実施形態のように、より多くの太陽光を光散乱板へと入射させることを意図する場合においては、これに限られず、板状部材のより多くの領域を光散乱板として使用するように面積比を変更した構成としても構わない。
【００７３】
光反射パネル１に導光される光は、太陽光でなく、人工光であっても構わない。人工光が使用された場合であっても、光を屋内空間に散らすように、光散乱板の姿勢を個別に調整することによって、屋内空間を太陽光のように感じさせる雰囲気をつくることができる。
【００７４】
以上、本発明の好ましい実施の形態について詳細に説明したが、当該技術分野における通常の知識を有する者であればこれから様々な変形及び均等な実施の形態が可能であることが理解できるであろう。
【００７５】
よって、本発明の権利範囲はこれに限定されるものではなく、特許請求の範囲に記載される本発明の基本概念を用いた当業者の様々な変形や改良形態も本発明に含まれる。
例えば、図７に示される第４の実施形態のように２種類の形状の光散乱板を対向配置させたうえで、図６に示される第２の実施形態のように平板ごとに光散乱板の方向Ｙにおける配置位置をずらしても構わない。
また、図６に示される第２の実施形態において、図８に示される第５の実施形態のように、連結部を光散乱板の短辺側に設けても構わない。
【符号の説明】
【００７６】
１              光反射パネル
２              支持プレート
３、２０        光散乱板
４              連結部
５              平板
６              板状部材
７              スリット
８              上辺
９              下辺
２３            光散乱板
２５            平板
２６            板状部材
２７            スリット
４３Ａ          第１光散乱板（光散乱板）
４３Ｂ          第２光散乱板（光散乱板）
４４Ａ、４４Ｂ  連結部
４５            平板
４６            板状部材
４７Ａ          第１スリット（スリット）
４７Ｂ          第２スリット（スリット）
５２            支持プレート
５３            光散乱板
５４            連結部
５５            平板
５６            板状部材
５７            スリット
【図１】
0006769742.tif 000002
【図２】
0006769742.tif 000003
【図３】
0006769742.tif 000004
【図４】
0006769742.tif 000005
【図５】
0006769742.tif 000006
【図６】
0006769742.tif 000007
【図７】
0006769742.tif 000008
【図８】
0006769742.tif 000009
【図９】
0006769742.tif 000010